(57)【特許請求の範囲】
【請求項１】
第１タイムスロットと第２タイムスロットを少なくとも含むサブフレーム構造を予め設定し、
前記第１タイムスロットはダウンリンク信号の送信に用いられ、；或いは、アイドルであり、；或いは、アップリンク信号の受信に用いられて、アップリンク信号の送信をスケジューリングし又はアップリンク信号の送信をスケジューリングしなく、；或いは、アップリンク信号以外の信号の受信と測定のみを行うことに用いられ、アップリンク信号送信の信号受信をスケジューリングしないステップ、
前記第２タイムスロットはアップリンク信号の受信に用いられて且つアップリンク信号の送信をスケジューリングし、；或いは、アイドルであり、；或いは、測定のみを行うことに用いられ、アップリンク信号の信号受信をスケジューリングしないステップ、及び
基地局は設定されたサブフレーム構造に基づき信号の送受信を行うステップを含み、
前記サブフレーム構造は第４タイムスロットを更に含み、前記第４タイムスロットは指示情報の伝送に用いられ、
前記サブフレーム構造の第４タイムスロットは、
アップリンクタイムスロットを指示するための予約したダウンリンク指示情報、
及び/又は、制御フィールドが占用した符号数を指示する指示情報、
及び/又は、本サブフレームの構造タイプを指示する指示情報、
及び/又は、本サブフレームの具体的な構造を指示する指示情報、
及び/又は、後続の伝送するサブフレーム構造の設定情報を指示する指示情報、
及び/又は、ライセンスされないキャリアのスケジューリング情報を伝送する指示情報、を伝送することに用いられる信号処理方法。
【請求項２】
前記サブフレーム構造は第３タイムスロットを更に備え、前記第３タイムスロットは無線リソースのプリエンプションに用いられ、
前記第１タイムスロット、又は第２タイムスロット、又は第３タイムスロット、又は第４タイムスロットはいずれも１つ又は複数の直交周波数分割多重ＯＦＤＭ符号からなり、或いは不完全なＯＦＤＭ符号からなる請求項１に記載の信号処理方法。
【請求項３】
該方法は、端末ＵＥが前記サブフレーム構造に基づいて信号の送受信を行うステップを更に含み、
前記サブフレーム構造は、ＬＴＥのサブフレーム構造に基づいて設定された請求項１に記載の信号処理方法。
【請求項４】
前記サブフレーム構造は、ＬＴＥのダウンリンクサブフレーム構造であり、
前記サブフレーム構造を予め設定するステップは、前記ＬＴＥのダウンリンクサブフレーム構造においてマッピングされたセルの特有の参照信号ＣＲＳ、又はチャネル状態情報参照信号ＣＳＩ-ＲＳ、又は復調参照信号ＤＭＲＳ、又はマスター同期信号/セカンダリ同期信号ＰＳＳ/ＳＳＳ符号を除いたＯＦＤＭ符号、を選択して、前記第２タイムスロットとして予約することを含み、
又は、
前記サブフレーム構造は、ＬＴＥダウンリンクサブフレーム構造であり、
前記サブフレーム構造を予め設定するステップは、前記ＬＴＥのダウンリンクサブフレーム構造におけるサブフレーム開始点からの１つ又は１つ以上のＯＦＤＭ符号の後のＯＦＤＭ符号を前記第２タイムスロットの開始点として選択することを含み、
又は、
前記サブフレーム構造は、ＬＴＥダウンリンクサブフレーム構造であり、
前記サブフレーム構造を予め設定するステップは、前記ＬＴＥのダウンリンクサブフレーム構造制御フィールドのＯＦＤＭ符号を前記第２タイムスロットとして予約することを含み、
前記ＬＴＥのダウンリンクサブフレーム構造制御フィールドのＯＦＤＭ符号を前記第２タイムスロットとして予約するステップは、前記制御フィールドのＯＦＤＭ符号の１つのサブフレームの２つ目のＯＦＤＭ符号から、前記第２タイムスロットを予約することを含み、
前記サブフレーム構造は第４タイムスロットを更に含み、前記第４タイムスロットは指示情報の伝送に用いられ、
前記サブフレーム構造を予め設定するステップは、前記第４タイムスロットが前記制御フィールドの１つ目のＯＦＤＭ符号を含むことを設定することを含む請求項３に記載の信号処理方法。
【請求項５】
前記制御フィールドのＣＲＳが所在するＯＦＤＭ符号に対して、前記制御フィールドの１つ目のＯＦＤＭ符号はアップリンクタイムスロットであるように設定されると、該方法は、
前記ＵＥが再び該ＯＦＤＭ符号に基づいてダウンリンク測定を行うことができないように指示するステップを更に含む請求項４に記載の信号処理方法。
【請求項６】
前記サブフレーム構造は、ＬＴＥのアップリンクサブフレーム構造であり、
前記サブフレーム構造を予め設定するステップは、前記ＬＴＥのアップリンクサブフレーム構造においてマッピングされたＳＲＳ、又はＤＭＲＳ符号を除いたＯＦＤＭ符号、を選択して、前記第１タイムスロットとして予約することを含む請求項３に記載の信号処理方法。
【請求項７】
前記サブフレーム構造は、新しく増加したサブフレーム構造であり、ｎ個のＯＦＤＭ符号を含み、
前記サブフレーム構造を予め設定するステップは、新しく増加したサブフレーム構造のｋ個のＯＦＤＭ符号は前記第２タイムスロットであり、残った(ｎ−ｋ)個のＯＦＤＭ符号は前記第１タイムスロットであり、
ｎはＬＴＥのＹ個のサブフレームに対応するＯＤＦＭ符号数であり、Ｙ∈{０.５, １, ２, ３, ４, ５, ６, ７, ８,  ９, １０}、ｎとｋとはいずれも自然数又は正の小数であることを含む請求項３に記載の信号処理方法。
【請求項８】
前記ｋ個のＯＦＤＭ符号は、新しく増加したサブフレーム構造の最初のｋ個のＯＦＤＭ符号であり、
前記サブフレーム構造は第３タイムスロットを更に備え、前記第３タイムスロットは無線リソースのプリエンプションに用いられ、
前記新しいサブフレーム構造におけるｍ個のＯＦＤＭ符号は、前記第３タイムスロットであり、この時、前記サブフレーム構造における(ｎ−ｋ−ｍ)個のＯＦＤＭ符号は、前記第１タイムスロットであり、前記ｍは自然数又は正の小数であり、
前記ｋ値は予め設定された固定値であり、
或いは、前記ｋ値はｋ≦Ｘであり、ｋ値が最大値Ｘに達する前に連続的なｓ個のＯＦＤＭ符号がアイドルであるのを検出したことを満たし、ｓ≦ｋ、ｓとＸとは予め設定された自然数又は正の小数である請求項７に記載の信号処理方法。
【請求項９】
前記サブフレーム構造は、ＬＴＥのＴＤＤのサブフレーム構造に基づいて設定され、
前記サブフレーム構造を予め設定するステップは、前記ＴＤＤのサブフレーム構造におけるダウンリンクパイロットタイムスロットＤｗＰＴＳにおけるｋＴ個のＯＦＤＭ符号を前記第２タイムスロットとして設定し、前記ＴＤＤのサブフレーム構造におけるアップリンクパイロットタイムスロットＵｐＰＴＳにおけるｎＴ個のＯＦＤＭ符号を前記第１タイムスロットとして設定し、ｋＴ及びｎＴは自然数又は正の小数であることを含み、
前記サブフレーム構造は第３タイムスロットを更に備え、前記第３タイムスロットは無線リソースのプリエンプションに用いられ、
前記サブフレーム構造を予め設定するステップは、前記ＴＤＤのサブフレーム構造におけるタイムスロットＧＰにおけるｍＴ個のＯＦＤＭ符号は前記第３タイムスロットであり、ｍＴは自然数又は正の小数であることを更に含む請求項１又は３に記載の信号処理方法。
【請求項１０】
該方法は、
周期をＬとして予め設定し、各周期ＬにＭ(Ｎ≧０)個の前記サブフレーム構造を設定し、及び各周期の開始位置の相対サブフレームオフセットＮを設定するステップを更に含み、
前記サブフレーム構造を予め設定するステップは、
Ｌ＝１を設定して、前記各周期Ｌにおける各サブフレームはいずれも前記サブフレーム構造であり
或いは、Ｌ＝１０又はＬ＝５を設定して、無線フレームを周期として/半分の無線フレームを周期とし、
或いは、無線フレームにおける０、５以外のサブフレームを前記サブフレーム構造として設定し、
或いは、ＴＤＤの特別なサブフレームを前記サブフレーム構造として設定し、
或いは、強化された干渉管理及びサービス自適応ｅＭＩＴＡにおけるＤＬとして動的に設定できる候補サブフレームを、前記サブフレーム構造として設定し、
Ｎ∈{０, １, …, Ｌ−１}を設定し、
Ｍ＝１を設定し、
或いは、Ｍ個の連続的な前記サブフレームを設定し、
或いは、等間隔で分布するＭ個のサブフレームを設定することを含む請求項１又は３に記載の信号処理方法。
【請求項１１】
前記基地局が設定されたサブフレーム構造に基づき信号の送受信を行うステップは、
前記基地局は設定されたサブフレーム構造に基づいてサブフレームパターン設定を行うこと、
前記基地局はＵＥへ設定されたサブフレームパターンを通知すること、及び
前記基地局は設定されたサブフレーム構造と設定されたサブフレームパターンに従って信号の送受信を行うことを含む請求項１又は３に記載の信号処理方法。
【請求項１２】
前記基地局が設定されたサブフレーム構造に基づいてサブフレームパターン設定を行うステップは、
操作管理メンテナンスＯＡＭにより統一に確定して設定すること、
或いは、ライセンスされないキャリアが付属するライセンスされたキャリアに対応するセルにより管理設定を行うこと、
或いは、ライセンスされないキャリア群内のその他のライセンスされないキャリアにより設定を行うこと、
或いは、ある中央ノードにより統一的に協調し設定して、中央ノードは基地局/セルであることを含み、
又は、
前記基地局が設定されたサブフレーム構造に基づいてサブフレームパターン設定を行うステップは、
前記基地局があるライセンスされないキャリアに対してリソースの感知及び/又はプリエンプションを行う際に、前記設定されたサブフレーム構造のサブフレームパターンを設定すること、
或いは、前記基地局があるライセンスされないキャリアに対して測定感知及び/又はプリエンプションを行う段階で、前記設定されたサブフレーム構造のサブフレームパターンを一時的に設定しなく、前記基地局が任意の時刻で該ライセンスされないキャリアの測定感知を行って且つリソースのプリエンプションを完成する際に、該ライセンスされないキャリアに前記設定されたサブフレーム構造のサブフレームパターンを設定すること、
或いは、前記基地局があるライセンスされないキャリアに対して測定感知及び/又はプリエンプションを行う段階で、前記設定されたサブフレーム構造のサブフレームパターンを一時的に設定しなく、前記基地局が任意の時刻で該ライセンスされないキャリアの測定感知を行って且つリソースのプリエンプションを完成する際に、該ライセンスされないキャリアに前記設定されたサブフレーム構造のサブフレームパターンを設定すること、
或いは、前記基地局があるライセンスされないキャリアを処理する際に、ずっと前記設定されたサブフレーム構造に従って信号の送信及び受信を行うこと、
或いは、１つのサブフレームの最初のｉ個のＯＦＤＭ符号で、該サブフレームが前記設定されたフレーム構造に設定されるか否かを指示することを含む請求項１１に記載の信号処理方法。
【請求項１３】
前記基地局がＵＥへ設定されたサブフレームパターンを通知するステップは、
二次キャリアとするライセンスされないキャリアを添加する際に、プライマリキャリアとするライセンスされたキャリアにより、前記設定されたサブフレーム構造のサブフレームパターンを設定して、且つ設定されたサブフレームパターンをＵＥに通知すること、
或いは、二次キャリア自身により設定されたサブフレームパターンをＵＥに通知すること、
或いは、ライセンスされないキャリア群内で、その他のライセンスされないキャリアが設定されたサブフレームパターンをＵＥに通知することを含む請求項１１に記載の信号処理方法。
【請求項１４】
前記設定されたサブフレーム構造はライセンスされないキャリアに適用する際に、 
サブフレームパターンを設定する際に、同一のライセンスされたキャリアが管理するキャリアは、そのサブフレームタイプに対して同じサブフレームパターンを統一的に設定し、前記ＵＥに前記設定されたサブフレームパターンを通知するステップは、ライセンスされたキャリアは属するＵＥに一回統一的に通知し、新しい二次キャリアを添加する際に、ＵＥは新しく添加したキャリアサブフレームの設定は通知した設定と一致することをデフォルトすること、
或いは、サブフレームパターンを設定する際に、同一のライセンスされたキャリアが管理するキャリアは、そのサブフレームタイプに対して異なるサブフレームパターンを設定し、前記ＵＥに前記設定されたサブフレームパターンを通知するステップは、セル集合で統一的に設定してＵＥに通知すること、又は周波数サブバンドを単位として、周波数サブバンド内で複数のキャリアは同じ設定であり、且つＵＥに通知することを含む請求項１２に記載の信号処理方法。
【請求項１５】
前記基地局が設定されたサブフレーム構造に従ってダウンリンク信号を送信して、且つ受信したアップリンク信号をインターセプトするステップは、
前記基地局は、前記設定されたサブフレーム構造のその他のダウンリンクサブフレームがダウンリンク送信モードに切り替える際に、ダウンリンク信号の送信を行うこと、及び
前記基地局は、前記設定されたサブフレーム構造がアップリンク受信モードに切り替える際に、受信した信号をインターセプトすることを含む請求項１１に記載の信号処理方法。
【請求項１６】
前記ＵＥが信号の送受信を行うステップは、
前記ＵＥが受信のみを行うように設定されること、
及び/又は、前記ＵＥが、サブフレームパターンが設定された前記サブフレーム構造のアップリンクタイムスロットにアップリンク信号の送信を行うこと、
及び/又は、前記ＵＥが、サブフレームパターンが設定されない前記サブフレーム構造のアップリンクタイムスロットのその他の時刻にアップリンク信号の送信を行うことを含み、
該方法は、前記ＵＥは信号の送受信を行う途中に、異なる段階で異なる方式を選択して信号の受信及び送信を行うステップを更に含む請求項３に記載の信号処理方法。
【請求項１７】
該方法は、前記基地局は１つのライセンスされないキャリアリソースをプリエンプションした際に、使用する過程において、１つのサブフレームを前記サブフレーム構造に設定するステップ、及び
前記サブフレーム構造のＯＦＤＭ符号において、前記基地局はダウンリンク送信をアップリンク受信に切り替えて、且つ前記予約したＯＦＤＭ符号を利用してアップリンク信号のインターセプトを行うステップを更に含み、
前記インターセプトによってその他のシステム信号を発見しないと、前記ライセンスされないキャリアを占用し続け、且つ前記ＵＥに現在のサブフレームが使用し続けることができるか否かを指示する、或いは、前記周期が使用し続けることができるか否かを指示し、
前記ダウンリンクのあるＯＦＤＭ符号はデータを送信しないと、該方法は、前記ＵＥに通知するステップを更に含む請求項１又は３に記載の信号処理方法。
【請求項１８】
該方法は、前記基地局が初期プリエンプション段階にある際に、制御フィールドのＯＦＤＭ符号を利用してアップリンク受信とリソースプリエンプションに設定するシーンに対して、前記設定されたＯＦＤＭ符号を利用して測定及びプリエンプションを行い、プリエンプションが成功すると、現在のサブフレームでダウンリンク信号の送信及びダウンリンクのスケジューリングを行うステップを更に含み、
該方法は、ライセンスされたキャリアの物理ダウンリンク制御チャネルＰＤＣＣＨによって、前記ＵＥに前記サブフレーム構造を採用するか否か及び採用したサブフレーム構造を通知するステップ、及び
前記ＵＥは強化された物理ダウンリンク制御チャネルｅＰＤＣＣＨドメインにおいて、ライセンスされないキャリア占用情報及びスケジューリング情報を検出するステップを更に含む請求項１又は３に記載の信号処理方法。
【請求項１９】
前記サブフレーム構造は、連続的な１つ又は複数のＬＴＥサブフレームからなり、或いは、
前記サブフレーム構造は、連続的な半分のＬＴＥサブフレームからなる請求項１又は３に記載の信号送信方法。
【請求項２０】
基地局であって、サブフレーム構造を予め設定することに用いられ、該サブフレーム構造は第１タイムスロットと第２タイムスロットを少なくとも含み、
前記第１タイムスロットはダウンリンク信号の送信に用いられ、；或いは、アイドルであり、；或いは、アップリンク信号の受信に用いられて、アップリンク信号の送信をスケジューリングし又はアップリンク信号の送信をスケジューリングしなく、；或いは、その他の信号の受信と測定のみを行うことに用いられ、アップリンク信号送信の信号受信をスケジューリングしない、
前記第２タイムスロットはアップリンク信号の受信に用いられて且つアップリンク信号の送信をスケジューリングし、；或いは、アイドルであり、；或いは、測定のみを行うことに用いられ、アップリンク信号の信号受信をスケジューリングしない、
とともに、
基地局は設定されたサブフレーム構造に基づき信号の送受信を行い、
前記サブフレーム構造は第４タイムスロットを更に含み、前記第４タイムスロットは指示情報の伝送に用いられ、
前記サブフレーム構造の第４タイムスロットは、
アップリンクタイムスロットを指示するための予約したダウンリンク指示情報、
及び/又は、制御フィールドが占用した符号数を指示する指示情報、
及び/又は、本サブフレームの構造タイプを指示する指示情報、
及び/又は、本サブフレームの具体的な構造を指示する指示情報、
及び/又は、後続の伝送するサブフレーム構造の設定情報を指示する指示情報、
及び/又は、ライセンスされないキャリアのスケジューリング情報を伝送する指示情報、を伝送することに用いられる基地局。
【請求項２１】
前記サブフレーム構造は第３タイムスロットを更に備え、前記第３タイムスロットは無線リソースのプリエンプションに用いられ、
前記第１タイムスロット、又は第２タイムスロット、又は第３タイムスロットはいずれも１つ又は複数の直交周波数分割多重ＯＦＤＭ符号からなり、或いは不完全なＯＦＤＭ符号からなる請求項２０に記載の基地局。
【発明の詳細な説明】
【技術分野】
【０００１】
本発明は、ＬＴＥが配置される、ライセンスされないキャリア技術に関し、特にＬＴＥライセンスされないキャリアシステムに基づく信号処理方法、基地局及び端末に関する。
【背景技術】
【０００２】
ＬＴＥが配置される、ライセンスされないキャリア（ＬＴＥ-Ｕ、Long Term Evolution - Unlicensed）とは、ライセンスされないスペクトルにおいてＬＴＥを配置することを指し、ＬＴＥシステムの日々急増する容量需要を満たし及びライセンスされないスペクトルの使用効率を向上させることに用いられ、ＬＴＥ及び将来の無線通信の可能な１つの重要な進化方向となる。ＬＴＥ-Ｕを設計する際に、如何にＷｉＦｉ、レーダー等の異なるシステム及び同じＬＴＥ-Ｕシステムの間でライセンスされないスペクトルを公正に競争してデータ送信を行うことを考える必要がある。
【０００３】
３ＧＰＰ標準会議のステートメントに基づき、ライセンスされたキャリア補助のシーンに対して、ＬＴＥ-ＵシステムはＬＴＥライセンスされたキャリア補助アクセス（ＬＡＡ、LTE Licensed Assisted Access）システムとも呼ばれる。従来、ＬＴＥ-Ｕがライセンスされないスペクトルを利用する方式は、キャリア集約補足ダウンリンク（ＣＡ ＳＤＬ、Carrier Aggregation Supplemental Downlink）、キャリアアグリゲーション時分割多重（ＣＡ ＴＤＤ、Carrier Aggregation Time Division Duplex）、スタンドアロン（Standalone）方式がある。ＣＡ ＳＤＬは従来の主流の方式であり、関連の手段において、基地局はダウンリンクデータのみを送信して、アップリンク受信がなく、つまり、基地局は、ライセンスされたキャリアによってＵＥが報告した測定量を受信し、タイムリーではない。存在する遅延は、ＷｉＦｉとライセンスされないキャリアでの競争に影響を及ぼし、該時間内で、ＷｉＦｉがリソースをプリエンプションする可能性がある。
【０００４】
この問題に対して、従来、信号送信には主に時分割多重（ＴＤＭ）方式を採用する。例えば、１つの無線フレームにおいて半分を占用して、残った半分はＷｉＦｉに使用される。これは、搬送波感知多重アクセス（Carrier Sense Multiple Access）のメカニズムを採用しなく、ライセンスされないキャリアを使用するその他のシステム、例えばＷｉＦｉに影響を及ぼし、それによりライセンスされないキャリアスペクトル使用の非公平性問題をもたらす。
【発明の概要】
【発明が解決しようとする課題】
【０００５】
本発明が解決しようとする技術的問題は、信号処理方法、基地局、及び端末を提供して、ライセンスされないキャリアスペクトル使用の公平性を向上させることができ、それによりライセンスされないキャリアスペクトルを効果的に利用する。
【課題を解決するための手段】
【０００６】
上記した技術的課題を解決するために、以下のような技術的手段を採用し、
信号処理方法であって、
少なくとも第１タイムスロットと第２タイムスロットを含むサブフレーム構造を予め設定し、
前記第１タイムスロットはダウンリンク信号の送信に用いられ、；或いは、アイドルであり、；或いは、アップリンク信号の受信に切り替えてアップリンク信号の送信をスケジューリングし、またはアップリンク信号の送信をスケジューリングしなく、；或いは、アップリンク信号以外の信号の受信と測定のみを行うように切り替えアップリンク信号送信の信号受信をスケジューリングしないステップ、
前記第２タイムスロットはアップリンク信号の受信に用いられて且つアップリンク信号の送信をスケジューリングし、；或いは、アイドルであり、；或いは、測定のみを行うように切り替えアップリンク信号の信号受信をスケジューリングしないステップ、及び
基地局は設定されたサブフレーム構造に基づき信号の送受信を行うステップを含む。
【０００７】
選択的に、前記サブフレーム構造は第３タイムスロットを更に備え、前記第３タイムスロットは無線リソースのプリエンプションに用いられる。
【０００８】
選択的に、前記サブフレーム構造は第４タイムスロットを更に含み、前記第４タイムスロットは指示情報の伝送に用いられる。
【０００９】
選択的に、前記第１タイムスロット、又は第２タイムスロット、又は第３タイムスロット、又は第４タイムスロットはいずれも１つ又は複数の直交周波数分割多重ＯＦＤＭ符号（ＯＦＤＭシンボル）からなり、或いは不完全なＯＦＤＭ符号からなる。
【００１０】
選択的に、該方法は、端末ＵＥが前記サブフレーム構造に基づいて信号の送受信を行うステップを含む。
【００１１】
選択的に、前記サブフレーム構造は、ＬＴＥのサブフレーム構造に基づいて設定される。
【００１２】
選択的に、前記サブフレーム構造は、ＬＴＥのダウンリンクサブフレーム構造であり、
前記サブフレーム構造を予め設定するステップは、前記ＬＴＥのダウンリンクサブフレーム構造において、マッピングされたセルの特有の参照信号ＣＲＳ、又はチャネル状態情報参照信号ＣＳＩ-ＲＳ、又は復調参照信号ＤＭＲＳ、又はマスター同期信号/セカンダリ同期信号ＰＳＳ/ＳＳＳ符号を除いたＯＦＤＭ符号、を選択して、前記第２タイムスロットとして予約することを含む。
【００１３】
選択的に、前記サブフレーム構造は、ＬＴＥダウンリンクサブフレーム構造であり、
前記サブフレーム構造を予め設定するステップは、前記ＬＴＥのダウンリンクサブフレーム構造におけるサブフレーム開始点からの１つ又は１つ以上のＯＦＤＭ符号の後のＯＦＤＭ符号を、前記第２タイムスロットの開始点として選択することを含む。
【００１４】
選択的に、前記サブフレーム構造は、ＬＴＥダウンリンクサブフレーム構造であり、
前記サブフレーム構造を予め設定するステップは、前記ＬＴＥのダウンリンクサブフレーム構造制御フィールドのＯＦＤＭ符号を前記第２タイムスロットとして予約することを含む。
【００１５】
選択的に、前記ＬＴＥのダウンリンクサブフレーム構造制御フィールドのＯＦＤＭ符号を前記第２タイムスロットとして予約するステップは、前記制御フィールドのＯＦＤＭ符号の１つのサブフレームの２つ目のＯＦＤＭ符号から、前記第２タイムスロットを予約することを含む。
【００１６】
選択的に、前記サブフレーム構造は第４タイムスロットを更に含み、前記第４タイムスロットは指示情報の伝送に用いられ、
前記サブフレーム構造を予め設定するステップは、前記第４タイムスロットが前記制御フィールドの１つ目のＯＦＤＭ符号を含むことを設定することを含む。
【００１７】
選択的に、前記サブフレーム構造の第４タイムスロットは、以下のような指示情報を伝送することに用いられる。
アップリンクタイムスロットを指示するための予約したダウンリンク指示情報、
及び/又は、制御フィールドが占用した符号数を指示する指示情報、
及び/又は、本サブフレームの構造タイプを指示する指示情報、
及び/又は、本サブフレームの具体的な構造を指示する指示情報、
及び/又は、後続の伝送するサブフレーム構造の設定情報を指示する指示情報、
及び/又は、ライセンスされないキャリアのスケジューリング情報を伝送する指示情報。
【００１８】
選択的に、前記第４タイムスロットは、ＰＣＦＩＣＨチャネルを多重化し、或いは、ＰＣＦＩＣＨチャネルに多重化される。
【００１９】
選択的に、前記制御フィールドのＣＲＳが所在するＯＦＤＭ符号に対して、前記制御フィールドの１つ目のＯＦＤＭ符号はアップリンクタイムスロットであるように設定されると、該方法は、
前記ＵＥは再び該ＯＦＤＭ符号に基づいてダウンリンク測定を行うことができないように指示するステップを更に含む。
【００２０】
選択的に、前記サブフレーム構造は、ＬＴＥのアップリンクサブフレーム構造であり、
前記サブフレーム構造を予め設定するステップは、前記ＬＴＥのアップリンクサブフレーム構造においてマッピングされたＳＲＳ、又はＤＭＲＳ符号を除いたＯＦＤＭ符号、を選択して前記第１タイムスロットとして予約することを含む。
【００２１】
選択的に、前記サブフレーム構造は、新しく増加したサブフレーム構造であり、ｎ個のＯＦＤＭ符号を含み、
前記サブフレーム構造を予め設定するステップは、新しく増加したサブフレーム構造のｋ個のＯＦＤＭ符号は前記第１タイムスロットであり、残った(ｎ−ｋ)個のＯＦＤＭ符号は前記第２タイムスロットであり、
ｎはＬＴＥのＹ個のサブフレームに対応するＯＤＦＭ符号数であり、Ｙ∈{０.５, １, ２, ３, ４, ５, ６, ７, ８, ９, １０}、ｎとｋとはいずれも自然数又は正の小数であることを含む。
【００２２】
選択的に、前記ｋ個のＯＦＤＭ符号は、新しく増加したサブフレーム構造の最初のｋ個のＯＦＤＭ符号である。
【００２３】
選択的に、前記サブフレーム構造は第３タイムスロットを更に備え、前記第３タイムスロットは無線リソースのプリエンプションに用いられ、
前記新しいサブフレーム構造におけるｍ個のＯＦＤＭ符号は、前記第３タイムスロットであり、この時、前記サブフレーム構造における (ｎ−ｋ−ｍ)個のＯＦＤＭ符号は、前記第２タイムスロットであり、前記ｍは自然数又は正の小数である。
【００２４】
選択的に、前記ｋ値は予め設定された固定値であり、
或いは、前記ｋ値はｋ≦Ｘであり、ｋ値が最大値Ｘに達する前に連続的なｓ個のＯＦＤＭ符号がアイドルであるのを検出したことを満たし、ｓ≦ｋ、ｓとＸとは予め設定された自然数又は正の小数である。
【００２５】
選択的に、前記サブフレーム構造は、ＬＴＥのＴＤＤのサブフレーム構造に基づいて設定され、
前記サブフレーム構造を予め設定するステップは、前記ＴＤＤのサブフレーム構造におけるダウンリンクパイロットタイムスロットＤｗＰＴＳにおけるｋT個のＯＦＤＭ符号を前記第２タイムスロットとして設定し、前記ＴＤＤのサブフレーム構造におけるアップリンクパイロットタイムスロットＵｐＰＴＳにおけるｎＴ個のＯＦＤＭ符号を前記第１タイムスロットとして設定し、ｋTとｎＴは自然数又は正の小数であることを含む。
【００２６】
選択的に、前記サブフレーム構造は第３タイムスロットを更に備え、前記第３タイムスロットは無線リソースのプリエンプションに用いられ、
前記サブフレーム構造を予め設定するステップは、前記ＴＤＤのサブフレーム構造におけるタイムスロットＧＰにおけるｍＴ個のＯＦＤＭ符号は前記第３タイムスロットであり、ｍＴは自然数又は正の小数であることを更に含む。
【００２７】
選択的に、該方法は、
周期をＬとして予め設定し、各周期ＬにＭ(Ｎ≧０)個の前記サブフレーム構造を設定し、及び各周期開始位置の相対サブフレームオフセットＮを設定するステップを更に含み、
前記サブフレーム構造を予め設定するステップは、
Ｌ＝１を設定して、前記各周期Ｌにおける各サブフレームはいずれも前記サブフレーム構造であり、
或いは、Ｌ＝１０又はＬ＝５を設定して、無線フレームを周期として/半分の無線フレームを周期とし、
或いは、無線フレームにおける０、５以外のサブフレームを前記サブフレーム構造として設定し、
或いは、ＴＤＤの特別なサブフレームを前記サブフレーム構造として設定し、
或いは、強化された干渉管理及びサービス自適応ｅＭＩＴＡにおけるＤＬとして動的に設定する候補サブフレームを、前記サブフレーム構造として設定し、
Ｎ∈{０, １, …, Ｌ−１}を設定し、
Ｍ＝１を設定し、
或いは、Ｍ個の連続的な前記サブフレームを設定し、
或いは、等間隔で分布するＭ個のサブフレームを設定することを含む。
【００２８】
選択的に、前記基地局が設定されたサブフレーム構造に基づき信号の送受信を行うステップは、
前記基地局は設定されたサブフレーム構造に基づいてサブフレームパターン設定を行うこと、
前記基地局はＵＥへ設定されたサブフレームパターンを通知すること、
前記基地局は設定されたサブフレーム構造と設定されたサブフレームパターンに従って信号の送受信を行うことを含む。
【００２９】
選択的に、前記基地局が設定されたサブフレーム構造に基づいてサブフレームパターン設定を行うステップは、
操作管理メンテナンスＯＡＭにより統一に確定して設定すること、
或いは、ライセンスされないキャリアが付属するライセンスされたキャリアに対応するセルにより管理設定を行うこと、
或いは、ライセンスされないキャリア群内のその他のライセンスされないキャリアにより設定を行うこと、
或いは、ある中央ノードにより統一的に協調し設定して、中央ノードは基地局/セルであることを含む。
【００３０】
選択的に、前記基地局が設定されたサブフレーム構造に基づいてサブフレームパターン設定を行うステップは、
前記基地局があるライセンスされないキャリアに対してリソースの感知及び/又はプリエンプションを行う際に、前記設定されたサブフレーム構造のサブフレームパターンを設定すること、
或いは、前記基地局があるライセンスされないキャリアに対して測定感知及び/又はプリエンプションを行う段階で、前記設定されたサブフレーム構造のサブフレームパターンを一時的に設定しなく、前記基地局が任意の時刻で該ライセンスされないキャリアの測定感知を行って且つリソースのプリエンプションを完成する際に、該ライセンスされないキャリアに前記設定されたサブフレーム構造のサブフレームパターンを設定すること、
或いは、前記基地局があるライセンスされないキャリアを処理する際に、ずっと前記設定されたサブフレーム構造に従って信号の送信及び受信を行うこと、
或いは、１つのサブフレームの最初のｉ個のＯＦＤＭ符号で、該サブフレームが前記設定されたフレーム構造に設定されるか否かを指示することを含む。
【００３１】
選択的に、前記基地局がＵＥへ設定されたサブフレームパターンを通知するステップは、
二次キャリアとするライセンスされないキャリアを添加する際に、プライマリキャリアとするライセンスされたキャリアによって、前記設定されたサブフレーム構造のサブフレームパターンを設定して、且つ設定されたサブフレームパターンをＵＥに通知すること、
或いは、二次キャリア自身により設定されたサブフレームパターンをＵＥに通知すること、
或いは、ライセンスされないキャリア群内で、その他のライセンスされないキャリアが設定されたサブフレームパターンをＵＥに通知することを含む。
【００３２】
選択的に、前記設定されたサブフレーム構造はライセンスされないキャリアに適用する際に、 
サブフレームパターンを設定する際に、同一のライセンスされたキャリアが管理するキャリアは、そのサブフレームタイプに対して同じサブフレームパターンを統一的に設定し、前記ＵＥに前記設定されたサブフレームパターンを通知するステップは、ライセンスされたキャリアは属するＵＥに一回統一的に通知し、新しい二次キャリアを添加する際に、ＵＥは新しく添加したキャリアサブフレームの設定は通知した設定と一致することをデフォルトすること、
或いは、サブフレームパターンを設定する際に、同一のライセンスされたキャリアが管理するキャリアは、そのサブフレームタイプに対して異なるサブフレームパターンを設定し、前記ＵＥに前記設定されたサブフレームパターンを通知するステップは、セル集合で統一的に設定してＵＥに通知すること、又は周波数サブバンドを単位として、周波数サブバンド内で複数のキャリアは同じ設定であり、且つＵＥに通知することを含む。
【００３３】
選択的に、前記基地局が設定されたサブフレーム構造に従ってダウンリンク信号を送信して、且つ受信したアップリンク信号をインターセプトするステップは、
前記基地局は、前記設定されたサブフレーム構造のその他のダウンリンクサブフレームがダウンリンク送信モードに切り替える際に、ダウンリンク信号の送信を行うこと、及び
前記基地局は、前記設定されたサブフレーム構造がアップリンク受信モードに切り替える際に、受信した信号をインターセプトすることを含む。
【００３４】
選択的に、前記ＵＥが信号の送受信を行うステップは、
前記ＵＥが受信のみを行うように設定されること、
及び/又は、前記ＵＥが、サブフレームパターンが設定された前記サブフレーム構造のアップリンクタイムスロットにアップリンク信号の送信を行うこと、
及び/又は、前記ＵＥが、サブフレームパターンが設定されない前記サブフレーム構造のアップリンクタイムスロットのその他の時刻にアップリンク信号の送信を行うことを含む。
【００３５】
選択的に、該方法は、前記ＵＥは信号の送受信を行う途中に、異なる段階で異なる方式を選択して信号の受信及び送信を行うステップを更に含む。
【００３６】
選択的に、該方法は、前記基地局は１つのライセンスされないキャリアリソースをプリエンプションした際に、使用する過程において、１つのサブフレームを前記サブフレーム構造に設定するステップ、及び
前記サブフレーム構造のＯＦＤＭ符号において、前記基地局はダウンリンク送信をアップリンク受信に切り替えて、且つ前記予約したＯＦＤＭ符号を利用してアップリンク信号のインターセプトを行うステップを含む。
【００３７】
選択的に、前記インターセプトによってその他のシステム信号を発見しないと、前記ライセンスされないキャリアを占用し続け、且つ前記ＵＥに現在のサブフレームが使用し続けることができるか否かを指示する、或いは、前記周期が使用し続けることができるか否かを指示する。
【００３８】
選択的に、前記ダウンリンクのあるＯＦＤＭ符号はデータを送信しないと、該方法は、前記ＵＥに通知するステップを更に含む。
【００３９】
選択的に、該方法は、前記基地局は初期プリエンプション段階にある際に、制御フィールドのＯＦＤＭ符号を利用してアップリンク受信とリソースプリエンプションに設定するシーンに対して、前記設定されたＯＦＤＭ符号を利用して測定及びプリエンプションを行い、プリエンプションが成功すると、現在のサブフレームでダウンリンク信号の送信及びダウンリンクのスケジューリングを行うステップを更に含む。
【００４０】
選択的に、該方法は、ライセンスされたキャリアの物理ダウンリンク制御チャネルＰＤＣＣＨによって、前記ＵＥに前記サブフレーム構造を採用するか否か及び採用したサブフレーム構造を通知するステップ、
前記ＵＥは強化された物理ダウンリンク制御チャネルｅＰＤＣＣＨドメインにおいて、ライセンスされないキャリア占用情報及びスケジューリング情報を検出するステップを更に含む。
【００４１】
選択的に、前記サブフレーム構造は、連続的な１つ又は複数のＬＴＥサブフレームからなり、或いは、
前記サブフレーム構造は、連続的な半分のＬＴＥサブフレームからなる。
【００４２】
信号処理方法であって、サブフレーム構造を予め設定し、該サブフレーム構造は第５タイムスロットと第６タイムスロットを少なくとも含み、
前記第５タイムスロットはアップリンク信号の送信に用いられ、；或いは、アイドルであり、；或いは、ダウンリンク信号の受信に切り替えて且つダウンリンク信号の送信をスケジューリングし、又はダウンリンク信号の送信をスケジューリングしなく、；或いは、その他の信号の受信測定のみを行うように切り替えダウンリンク信号送信の信号受信をスケジューリングしない、
前記第６タイムスロットはダウンリンク信号受信に用いられダウンリンク信号の送信をスケジューリングし、；或いは、アイドルであり、；或いは、測定のみを行うように切り替えダウンリンク信号の信号受信をスケジューリングしないステップ、及び
ＵＥが設定されたサブフレーム構造に基づいて信号の送受信を行うステップを含む。
【００４３】
選択的に、前記サブフレーム構造は第７タイムスロットを更に備え、前記第７タイムスロットは無線リソースのプリエンプションに用いられる。
【００４４】
選択的に、前記第５タイムスロット、又は第６タイムスロット、又は第７タイムスロットはいずれも１つ又は複数の直交周波数分割多重ＯＦＤＭ符号からなり、或いは不完全なＯＦＤＭ符号からなる。
【００４５】
選択的に、該方法は、基地局が前記サブフレーム構造に基づいて信号の送受信を行うステップを更に含む。
【００４６】
選択的に、前記サブフレーム構造を予め設定するステップは、
前記サブフレーム構造はｎ個のＯＦＤＭ符号からなるように設定し、
ｋ個のＯＦＤＭ符号を前記第６タイムスロットとして設定し、ＵＥダウンリンク信号のインターセプトウィンドウに使用され、ｍ個のＯＦＤＭ符号を前記第７タイムスロットとして設定し、リソースプリエンプションウィンドウに使用され、残った(ｎ−ｋ−ｍ)個のＯＦＤＭ符号を前記第５タイムスロットとして設定し、リソース占用ウィンドウに使用され、占用信号及び/又はアップリンク参照信号を送信することに用いられ、ｋ、ｍ及びｎはいずれも自然数又は正の小数であることを含む。
【００４７】
選択的に、前記パラメータｍは、ｍ＝０である。
【００４８】
選択的に、前記サブフレーム構造は、ＬＴＥのＴＤＤのサブフレーム構造であり、
前記サブフレーム構造を予め設定するステップは、前記ＴＤＤのサブフレーム構造におけるＤｗＰＴＳにおけるｋＴ個のＯＦＤＭ符号を前記第６タイムスロットとして設定し、ダウンリンク信号をインターセプトすることに用いられ、前記ＴＤＤのサブフレーム構造におけるＵｐＰＴＳにおけるｎＴ個のＯＦＤＭ符号を前記第５タイムスロットとして設定し、占用信号及び/又はアップリンク参照信号を送信することに用いられ、ｋＴとｎＴはいずれも自然数又は正の小数であることを含む。
【００４９】
選択的に、前記サブフレーム構造を予め設定するステップは、前記ＴＤＤのサブフレーム構造におけるＧＰにおけるｍＴ個のＯＦＤＭ符号を前記第７タイムスロットとして設定し、リソースプリエンプションに用いられ、ｍＴは自然数又は正の小数であることを更に含む。
【００５０】
選択的に、ＬＴＥアップリンクサブフレームにおいて、最後の１つのＯＦＤＭ符号を前記第５タイムスロットとして設定し、アップリンク探知参照情報ＳＲＳを送信することに用いられ、
前記ＵＥはインターセプトによって前記キャリアが占用できることを発見する際に、前記サブフレームの最後の１つのＯＦＤＭ符号には占用指示信号を送信して、基地局に前記キャリアが占用できることを通知するようにし、
該方法は、前記基地局は前記ＯＦＤＭ符号が送信した占用信号を検出することによって、ＵＥが指示した占用できる情報を取得するステップを更に含む。
【００５１】
基地局であって、サブフレーム構造を予め設定することに用いられ、該サブフレーム構造は第１タイムスロットと第２タイムスロットを少なくとも含み、
前記第１タイムスロットはダウンリンク信号の送信に用いられ、；或いは、アイドルであり、；或いは、アップリンク信号の受信に切り替えてアップリンク信号の送信をスケジューリングし、又はアップリンク信号の送信をスケジューリングしなく、；或いは、その他の信号の受信と測定のみを行うように切り替えアップリンク信号送信の信号受信をスケジューリングしない、
前記第２タイムスロットはアップリンク信号の受信に用いられて且つアップリンク信号の送信をスケジューリングし、；或いは、アイドルであり、；或いは、測定のみを行うように切り替えアップリンク信号の信号受信をスケジューリングしない、
とともに、
基地局は設定されたサブフレーム構造に基づき信号の送受信を行う。
【００５２】
選択的に、前記サブフレーム構造は第３タイムスロットを更に備え、前記第３タイムスロットは無線リソースのプリエンプションに用いられる。
【００５３】
選択的に、前記第１タイムスロット、又は第２タイムスロット、又は第３タイムスロットはいずれも１つ又は複数の直交周波数分割多重ＯＦＤＭ符号からなり、或いは不完全なＯＦＤＭ符号からなる。
【００５４】
端末であって、サブフレーム構造を予め設定することに用いられ、該サブフレーム構造は第５タイムスロットと第６タイムスロットを少なくとも含み、
前記第５タイムスロットはアップリンク信号の送信に用いられ、；或いは、アイドルであり、；或いは、ダウンリンク信号の受信に切り替えて且つダウンリンク信号の送信をスケジューリングし、又はダウンリンク信号の送信をスケジューリングしなく、；或いは、その他の信号の受信と測定のみを行うように切り替えダウンリンク信号送信の信号受信をスケジューリングしない、
前記第６タイムスロットはダウンリンク信号受信に用いられダウンリンク信号の送信をスケジューリングし、；或いは、アイドルであり、；或いは、測定のみを行うように切り替えダウンリンク信号の信号受信をスケジューリングしない、
とともに、
設定されたサブフレーム構造に従って信号の送受信を行う。
【００５５】
選択的に、前記サブフレーム構造は第７タイムスロットを更に備え、前記第７タイムスロットは無線リソースのプリエンプションに用いられる。
【００５６】
選択的に、前記第５タイムスロット、又は第６タイムスロット、又は第７タイムスロットはいずれも１つ又は複数の直交周波数分割多重ＯＦＤＭ符号からなり、或いは不完全なＯＦＤＭ符号からなる。
【発明の効果】
【００５７】
関連技術と比べて、本出願の技術的解決手段は、サブフレーム構造を予め設定し、該サブフレーム構造は第１タイムスロット、第２タイムスロットを少なくとも含み、第１タイムスロットはダウンリンク信号の送信に用いられ、；或いはダウンリンク信号を送信しなく、；或いは、アップリンク信号の受信に切り替えてアップリンク信号の送信をスケジューリングし、又はアップリンク信号の送信をスケジューリングしなく、；或いは、その他の信号の受信と測定を行うように切り替えアップリンク信号送信の信号受信をスケジューリングしない、また、第２タイムスロットはアップリンク信号の受信に用いられアップリンク信号の送信をスケジューリングし、；或いは、アップリンク信号を受信しなく、；或いは、測定のみを行うように切り替えアップリンク信号の信号受信をスケジューリングしない、また、基地局は設定されたサブフレーム構造に基づき信号の送受信を行う。本発明の技術的解決手段の方法によって、ライセンスされないキャリアスペクトルの使用の公平性を向上させ、それにより効果的にライセンスされないキャリアスペクトルを利用する。
【００５８】
本発明のその他の特徴及び利点は、後続の明細書説明中でも述べられ、且つ、部分的にその説明から容易に理解でき、或いは本発明を実施することによっても理解できる。本発明の目的とその他の利点を明細書、請求項の範囲及び図面では、特に指摘した構造によって実現して取得することができる。
【図面の簡単な説明】
【００５９】
ここで説明した図面は、本発明の更なる理解を提供し、本出願の一部となり、本発明の例示的な実施例及びその説明は本発明を理解するためのものであり、本発明を不適切に限定するためのものではない。
【図１】図１は、本発明の実施例信号の処理方法を示すフローチャートである。
【発明を実施するための形態】
【００６０】
以下、図面を参照しながら本発明の実施例について詳細に説明する。なお、矛盾が生じない場合は、本出願における実施例及び実施例における特徴を互いに任意に組み合わせることができる。
【００６１】
図１は、本発明の実施例の信号処理方法を示すフローチャートであり、図１に示すように、以下のステップ１００〜１０２を含む。
【００６２】
ステップ１００： サブフレーム構造を予め設定し、該サブフレーム構造は第１タイムスロットと第２タイムスロットを少なくとも含む。
【００６３】
第１タイムスロットはダウンリンク信号の送信に用いられ、；或いはダウンリンク信号を送信しなく、即ちアイドルにあり、；或いは、アップリンク信号受信に切り替えて、且つアップリンク信号送信をスケジューリングし、又はアップリンク信号送信をスケジューリングしなくアップリンク信号受信のみに切り替えて、アップリンク信号以外の信号の受信と測定に用いられ、；或いは、信号受信に切り替えて、ここでアップリンク信号以外の信号の受信と測定のみを行ってアップリンク信号の送信をスケジューリングしない。
第２タイムスロットはアップリンク信号の受信に用いられアップリンク信号送信をスケジューリングし、；或いは、アップリンク信号を受信しなく、即ちアイドルにあり、；或いは、信号受信に切り替えて、ここで測定のみを行ってアップリンク信号をスケジューリングしない。
【００６４】
ＷｉＦｉシステムに対して、サブフレーム（subframe）の粒度が大きすぎる。subframeを時間粒度としてインターセプトして測定すると、インターセプト時間が長すぎて、不要なリソース無駄の問題があり、且つＷｉＦｉインターセプト時間が短く、ＬＴＥ-Ｕのインターセプト過程において、リソースがＷｉＦｉによってプリエンプションされる等のおそれがある。本ステップにおいて、直交周波数分割多重（ＯＦＤＭ、Orthogonal Frequency Division Multiplexing）符号ビットを粒度としてインターセプト及びプリエンプションし、その時間粒度がＷｉＦｉに相当して、ＷｉＦｉ時間粒度がＬＴＥサブフレーム時間粒度よりはるかに小さいことによる、ＬＴＥリソースプリエンプションが劣勢にある問題を解決することができる。
【００６５】
ステップ１００は、具体的に以下の３種の方式のいずれかによってサブフレーム構造を設定することができる。
ステップ１００において、１種のサブフレーム構造を設定する方式は、関連ＬＴＥのサブフレーム構造に基づいて、その中の一部のＯＦＤＭ符号を主なＯＦＤＭ符号として設定し、即ち第１タイムスロットでデータを送信して、一部のＯＦＤＭ符号を設定して即ち第２タイムスロットでデータを送信しなく、信号をインターセプトすることに用いられる。
【００６６】
関連のＬＴＥサブフレーム構造は一般的に、１ミリ秒の時間長さであり、更に複数のＯＦＤＭ符号からなり（通常のサブフレームは１４個のＯＦＤＭ符号からなる）、ダウンリンクサブフレームの最初のいくつかのＯＦＤＭ符号は制御チャネルにマッピングして、制御フィールドであり、その他のＯＦＤＭ符号はデータドメインであり、アップリンクサブフレームは、一般的に最後の１つのＯＦＤＭ符号はＳＲＳにマッピングしてＳＲＳを送信でき（ＳＲＳを送信しないと、アップリンクデータを送信することができる）、その他のＯＦＤＭ符号はアップリンクデータを送信する。
【００６７】
本ステップに基づくサブフレーム構造は、ＬＴＥダウンリンクサブフレーム構造であるシーンで、
ＬＴＥのダウンリンクサブフレーム構造におけるマッピングされたセルの特有の参照信号（ＣＲＳ、Cell-specific reference signal）、又はチャネル状態情報参照信号（ＣＳＩ-ＲＳ、Channel-State Information reference signal）、又は復調参照信号（ＤＭＲＳ、Demodulation reference signal）、又はマスター同期信号/セカンダリ同期信号（ＰＳＳ/ＳＳＳ、Primary synchronization signal/ secondary synchronization signal）符号外のＯＦＤＭ符号を優先的に選択して予約しインターセプトに用いられ、即ちマッピングデータチャネルのＯＦＤＭ符号（即ちデータのみがあるＯＦＤＭ）が好ましい。本ステップにおいてこれらのＯＦＤＭ符号を第２タイムスロットとして選択してアップリンク信号のインターセプトを実現し、関連のサブフレーム構造に与える影響を減少して、関連ライセンスされたキャリアプロトコルの互換性をよりよく実現する。
【００６８】
第２タイムスロットが選択したＯＦＤＭ符号以外、その他のＯＦＤＭ符号は第１タイムスロットが占用したＯＦＤＭ符号として、ダウンリンクデータを送信することに用いられる。
【００６９】
選択的に、アップリンク信号のＯＦＤＭ符号をインターセプトし、即ち第２タイムスロットは関連ＬＴＥダウンリンクサブフレーム構造の制御フィールドのＯＦＤＭ符号に予約することが好ましい。予約した符号数の時間長さは、アップダウンリンク切り替えの処理遅延を考えた後に、全時間の長さは既存のＬＴＥダウンリンクサブフレーム制御フィールドで最大に設定できるＯＦＤＭ符号数に対応する時間の長さを超えないことが好ましい。ここで、時間の長さ設定の好ましさは関連ＬＴＥのサブフレーム構造とできるだけ互換し、主にデータドメインマッピングの互換性を考えるためである。選択的に、制御フィールドのＯＦＤＭ符号を第２タイムスロットとして利用する場合に対して、１つのサブフレームの２つ目のＯＦＤＭ符号から予約できる。
【００７０】
制御フィールドのＣＲＳが所在するＯＦＤＭ符号に対して、制御フィールドの１つ目のＯＦＤＭ符号もアップリンクタイムスロットとして設定されると、本ステップは、ＵＥが再び該ＯＦＤＭ符号に基づいてダウンリンク測定を行わないことを指示することを更に含む。
【００７１】
本ステップに基づくサブフレーム構造は、ＬＴＥアップリンクサブフレーム構造であるシーンで、
ＬＴＥのアップリンクサブフレーム構造におけるマッピングされた探知参照情報（ＳＲＳ、Sounding Reference Signal）、又はＤＭＲＳ符号以外のＯＦＤＭ符号を優先的に選択して第１タイムスロットとして予約し、アップリンクアイドルタイムスロットであり、即ちアップリンク送信を行わない。
（1）該アップリンクアイドルタイムスロットは基地局がダウンリンク信号送信をスケジューリングすることに用いられ、ＵＥは該タイムスロットにダウンリンク信号受信を行う。勿論、ダウンリンクデータをスケジューリングしなくてもよく、ＵＥは該タイムスロットにその他の信号の受信及び測定を行う。このような実現方法は本タイムスロットのリソースの充分を実現し、ダウンリンク信号送信に用いられる。
【００７２】
（2）基地局は該アップリンクアイドルタイムスロットにダウンリンク信号の送信を行わなく、ＵＥは該タイムスロットにはその他の信号の受信及び/又は測定を行う。
（3）ＵＥは該アップリンクアイドルタイムスロットにはその他の処理を行わない。
【００７３】
ステップ１００において、他の１種のサブフレーム構造を設定する方式は、完全なサブフレーム構造を新しく増加して、ｎ個のＯＦＤＭ符号を含み、その中の該サブフレームのｋ個のＯＦＤＭ符号即ち第２タイムスロットを設定してアップリンク信号をインターセプトすることに用いられ、選択的に、このｋ個のＯＦＤＭ符号は該サブフレームの最初のｋ個のＯＦＤＭ符号であり、残った(ｎ−ｋ)個のＯＦＤＭ符号即ち第１タイムスロットはダウンリンクデータを送信することに用いられる。更に、該サブフレーム構造におけるｍ個のＯＦＤＭ符号（第３タイムスロットと呼ばれる）を設定してリソースのプリエンプションに用いられ、この時、該サブフレームにおける(ｎ−ｋ−ｍ)個のＯＦＤＭ符号即ち第１タイムスロットはダウンリンクデータを送信することに用いられ、ｍ、ｎとｋとはいずれも自然数又は正の小数である。具体的には、以下のとおりである。
サブフレームの最初のｋ個のＯＦＤＭ符号はインターセプト（インターセプトウィンドウ）に用いられる。ｋ値は固定値に設定することができ、或いは、ｓ≦ｋ≦Ｘに設定され、即ちｋが最大値Ｘに達する前にＳ個のＯＦＤＭ符号がアイドルであることを連続的に検出すると、即ち該周波数点がアイドルであって占用でき、この時、インターセプトウィンドウを停止して、後続の操作を起動することができる。Ｘは予め設定された値であり、Ｘの設定はインターセプトの需要に関連し、前記サブフレームの最大の使用可能なＯＦＤＭ符号を超えてはいけない。より長い時間でインターセプトする必要がある特別な需要に対して、Ｘは連続的な複数のサブフレームのＯＦＤＭ符号を利用するよう
に設定されることができる。ｓは予め設定された値であり、ｓ値の設定の主な依拠はポリシーに規定しているインターセプトしなければならない周波数リソースが連続的にアイドルである時間であり、ｓ、Ｘ及びｋはいずれも自然数又は正の小数である。
【００７４】
ｍは、ｍ＝０に設定されることができ、即ちリソースプリエンプションウィンドウがなく、このｍ個のＯＦＤＭ符号の時間の長さを利用して複数の競争者の間に前記バンドにおけるリソースプリエンプションを行い、リソースの衝突を避ける。
【００７５】
第１タイムスロットは０であってもよく、即ち前記サブフレーム構造は第１タイムスロットを含まない。このように、より多くの時間リソースは第２タイムスロット及び存在する可能性がある第３タイムスロットに用いられる。
【００７６】
ｎは、関連ＬＴＥのＹ個のサブフレームのＯＤＦＭ符号数に対応するように設定され、Ｙ∈{０.５, １, ２, ３, ４, ５, ６, ７, ８, ９, １０}。Ｙの設定は、具体的に、
Ｙ＝０.５では、即ち関連ＬＴＥサブフレームの半分のサブフレームのＯＦＤＭ符号数に設定され、
Ｙ＝１では、即ち関連ＬＴＥサブフレームの１つのサブフレームのＯＦＤＭ符号数に設定され、
Ｙ＞１では、即ち関連ＬＴＥサブフレームの複数のサブフレームのＯＦＤＭ符号数に設定される。
【００７７】
バンドのプリエンプションが成功すると、残ったｎ個のＯＦＤＭ符号にはリソース占用信号を送信し始めることができ、プリエンプションが成功したリソースはその他の競争者によってプリエンプションされることを防止し、或いは、その他のＲＳ等の信号、例えばＣＳＩ-ＲＳを送信して、ＵＥができるだけ早くチャネル測定を実行し始めることに用いられる。
【００７８】
例えば、仮に３個のＯＦＤＭ 符号を採用してインターセプトに用いられ、残った１１個のＯＦＤＭ符号の時間の長さは約８００usであり、リソースをプリエンプションしてプリエンプション後に占用信号又はその他の信号を送信することに用いられる。
【００７９】
ステップ１００において、第３種のサブフレーム構造を設定する方式は、ＬＴＥのＴＤＤのサブフレーム構造を修正して、関連ＴＤＤのサブフレーム構造におけるダウンリンクパイロットタイムスロット（ＤｗＰＴＳ）におけるｋＴ個のＯＦＤＭ符号がアップリンク信号（アップリンク信号インターセプトウィンドウとも呼ばれる）をインターセプトすることに用いられ、アップリンクパイロットタイムスロット（ＵｐＰＴＳ）におけるｎＴ個のＯＦＤＭ符号をダウンリンクデータ（リソース占用ウィンドウとも呼ばれる）を送信することに用いる。更に、関連ＴＤＤのサブフレーム構造におけるタイムスロット（ＧＰ）におけるｍＴ個のＯＦＤＭ符号をリソースプリエンプション（リソースプリエンプションウィンドウとも呼ばれる）に用い、つまり、ｍＴの取る値が０であり、即ちリソースプリエンプションウィンドウがないように設定されることができる。ｍＴ＝０である際に、ＧＰは第２タイムスロットに含まれるように設定されることができ、より多くのアップリンクインターセプト機会を提供するようにし、或いは、ＧＰは第１タイムスロットに含まれるように設定されることができ、より多くのダウンリンクタイムスロット機会を提供するようにし、ｋＴ、ｎＴ及びｍＴはいずれも自然数又は正の小数である。
【００８０】
本発明の実施例のサブフレーム構造は、更に、必要に応じて１つのサブフレームには１つの指示情報を伝送するためのタイムスロット（即ち第４タイムスロット）を設定することができる。第４タイムスロットは１つ又は１つ以上のＯＦＤＭ符号を占用することができる。選択的に、１つのＯＦＤＭ符号を占用して、できるだけリソースのオーバヘッドを減少する。勿論、必要に応じてより多くのＯＦＤＭ符号を設定して上記の指示情報を伝送することに用いられる。より多くのＯＦＤＭ符号を設定して前記指示情報を伝送することは、伝送する指示情報の容量及び/又は性能を向上させることができ、それにより前記指示情報の伝送をよりよく実現する。選択的に、１つのサブフレームの開始位置から前記第４タイムスロットを設定し、この時、その他のタイムスロットに用いられるＯＦＤＭ符号は対応的にこの部分のＯＦＤＭ符号を占用することができない。
【００８１】
選択的に、制御フィールドのＯＦＤＭ符号を第２タイムスロットとして利用する場合に対して、制御フィールドのシーンを利用するため、使用可能なＯＦＤＭ符号数が限られ、第４タイムスロットのために多過ぎるリソースを予約できないため、第４タイムスロットは制御フィールドの１つ目のＯＦＤＭ符号に置かれることができる。
【００８２】
第４タイムスロットは、以下のような１つ又は１つ以上の指示情報を伝送することに用いられる。
アップリンクタイムスロットを指示するための予約したダウンリンク指示情報、
及び/又は、制御フィールドが占用した符号数を指示するための指示情報、即ち予約可能性がある上記のアップリンクを受信するための最大のＯＦＤＭ符号の個数を指示することができる指示情報、
及び/又は、本サブフレームの構造タイプを指示する指示情報、
及び/又は、本サブフレームの具体的な構造、例えば各部分領域に占用されたＯＦＤＭ符号の個数及び/又は位置、各部分構造の有無等を指示する指示情報、
及び/又は、後続の伝送するサブフレーム構造の設定情報を指示する指示情報、
及び/又は、ライセンスされないキャリアのスケジューリング情報を伝送することを指示するための指示情報。
【００８３】
選択的に、ＰＣＦＩＣＨチャネルを多重化し、或いは、ＰＣＦＩＣＨチャネル構造を多重化することができ、分かりやすいのは、この時、その載せられたシグナリング情報を改めて定義すればよい。伝送する必要がある制御情報は多い（特にスケジューリング情報を伝送するシーンである）と、関連ＬＴＥのＰＤＣＣＨチャネルを再使用し、或いは、ＰＣＦＩＣＨチャネル構造を多重化することが好ましく、分かりやすいのは、この時、その載せられたシグナリング情報を改めて定義すればよい。
【００８４】
上記の第４タイムスロットの指示情報によって、ＵＥはサブフレーム構造を取得することができ、それによりサブフレーム構造に基づいて信号の送受信処理を行う。該指示情報を採用して、より動的で柔軟なサブフレーム構造設定指示を提供する。
【００８５】
スケジューリング情報を伝送するシーンに対して、ＵＥはスケジューリング情報を取得し、且つスケジューリング情報に基づいて信号処理を行うことができる。
【００８６】
前記第４タイムスロットは前記サブフレームの一部又は全部のサブフレームのみに設定されることができる。
【００８７】
一部のサブフレームに設定されると、できるだけリソースオーバヘッドを減少することができる。例えば、周期に従って設定して出現することができ、各周期に１つ又は１つ以上の第４タイムスロットを含むサブフレームを設定する。選択的に、第４タイムスロットが１つの前記サブフレーム周期の最初の１つのサブフレームに設定されるのは開始設定である。このように、１つの周期の開始に前記の指示情報を検出することができることに有利である。
【００８８】
全てのサブフレームに設定されると、よりタイムリーで動的に情報を通知することができる。
【００８９】
仮に周期Ｌを予め設定して、各周期にＭ（Ｍ≧０）個のサブフレーム構造、及び各周期の開始位置の相対サブフレームオフセットＮ（Ｎ∈{０, １, …, Ｌ}）を設定する。更に、サブフレーム構造パラメータ即ちサブフレームに対応するＯＦＤＭ符号設定モードを増加して設定することができる。これらのパラメータの時間単位はサブフレームである。そして、本ステップにおけるサブフレーム設定方法において、パラメータＬは、以下のように設定されることができる。
Ｌ＝１に設定され、即ち各サブフレームはいずれも本ステップにおけるサブフレームのタイプであり、一致するサブフレーム構造を統一して、実現を簡単化させる一方で、サブフレームを周期としてリソースインターセプト及び占用処理をよりよく実現できる。
或いは、Ｌ＝１０又はＬ＝５に設定され、即ち無線フレームを周期として/半分の無線フレームを周期とする。このように、オーバヘッドを低減させ、且つタイミング関係と従来の方式とは互換性をよりよく実現できる。
或いは、無線フレームにおいて０、５以外のサブフレームは本ステップにおけるサブフレーム構造であるように設定する。０、５の２つのサブフレームは同期と伝播チャネルを伝送することに用いられ、このように、同期と伝播チャネルに与える影響を減少できる。
或いは、関連ＴＤＤ候補の割合方式を選択して、ＴＤＤの特別なサブフレームを本ステップにおけるサブフレームタイプに設定して、且つインターセプト及び/又はリソースプリエンプションを実行する。又は関連割合の拡張を行い、９：１或いは４：１に設定されることができる。このように、できるだけ関連サブフレーム構造との互換性を実現して、ＵＥが実現する複雑さを減少できる。
或いは、強化された干渉管理及びサービス自適応（ｅＭＩＴＡ、Enhancement Interference Management and Traffic Adaptation）においてダウンリンクリンク（ＤＬ、Down Link）に動的に設定されることができる候補サブフレームを、本ステップにおけるサブフレームに設定する。
【００９０】
パラメータＭは、以下のように設定されることができる。
Ｍ＝０では、即ち一部或いは全部の周期には本ステップにおけるサブフレームが出現しない。
或いは、Ｍ＝１では、即ち各周期に１つの本ステップにおけるサブフレームを設定する。
或いは、Ｍ＞１では、即ち各周期に複数の本ステップにおけるサブフレームが出現して、複数の連続的な時間機会を提供して、インターセプトに用いられるようにする。
【００９１】
Ｎ ∈{０, １, …, Ｌ−１}；パラメータＮは、以下のように設定されることができる。
Ｎ＝０では、即ち本ステップにおけるサブフレームを設定する位置は各周期の開始から始める。
Ｎ＞０では、即ち本ステップにおけるサブフレームを設定する位置は各周期の開始の第Ｎ個のサブフレームから始める。Ｎは開始位置から始めることに制限されなく、設定の柔軟性を提供する。
【００９２】
なお、アップダウンリンクタイムスロットの切り替えは一定の時間を占用するため、本ステップにおけるサブフレーム構造は、アップダウンリンク切り替え遅延を同時に考え、つまり、アップダウンリンクタイムスロットの切り替えは一定の時間を占用するため、上記時間ウィンドウの全ての時間は完全に対応するインターセプト、信号送信或いはリソースプリエンプションに用いられることができなく、一部の時間がアップダウンリンクタイムスロットの切り替えに用いられる。
【００９３】
本発明の実施例において、ライセンスされないキャリアの通常のサブフレームはＴＤＤフレーム構造を採用することが好ましく、従って、本発明の実施例におけるサブフレーム構造は関連ＬＴＥプロトコルにおける対応するＴＤＤサブフレームタイプ２であると、続いてＴＤＤモードによりよく拡張することに便利である。通常のサブフレームは以下の通りであり、本発明の実施例によるサブフレーム構造は新しいサブフレームであり、その他のサブフレームは関連ＬＴＥプロトコルに規定しているＴＤＤサブフレームに設定することが好ましい。勿論、必要があるときは、その他の新しく増加したサブフレーム構造を採用してもよい。
【００９４】
ステップ１０１： 基地局は、設定されたサブフレーム構造に基づき信号の送受信を行う。
【００９５】
ステップ１０１は、具体的に、設定されたサブフレーム構造に基づいてサブフレームパターン設定を行うことと、端末（ＵＥ）に設定されたサブフレームパターンを通知すること、及び基地局は設定されたサブフレーム構造と設定されたサブフレームパターンに従って信号の送受信を行うこととを含む。
【００９６】
本ステップにおいて、設定されたサブフレーム構造に基づいてサブフレームパターン設定を行うことは、具体的に、以下の内容を含む。
【００９７】
サブフレームパターンは操作管理メンテナンス（ＯＡＭ、Operation Administration and Maintenance）により統一的に確定して設定することができ、集中管理協調の便利性を提供すること、；或いは、ライセンスされないキャリアが付属するライセンスされたキャリアに対応するセルにより管理して設定し、よりよい柔軟性を有するようにすること、；或いは、前記ライセンスされないキャリア群内のその他のライセンスされないキャリアであり（好ましくは、前記ライセンスされないキャリア群内のその他の占用されたライセンスされないキャリアであり）、；或いは、ある中央ノード例えば基地局/セルのために統一的に協調して設定し、設定の柔軟性を兼ねる上、集中管理協調にも便利である。
【００９８】
異なるメンバーキャリアに対して、本ステップにおける各サブフレームの設定パターンの関係は、以下の通りである。、
異なるメンバーキャリアに同じサブフレームパターンを統一に設定し、特に隣接チャネルのメンバーキャリアに対して設定する。このように、複数のメンバーキャリアが無線周波数リンクを共有することに有利であり、同時に、複数のメンバーキャリアアップダウンリンクタイミング関係の整列に有利であり、タイミングの異なりによるアップダウンリンク隣接チャネル干渉の問題を取り除くようにする。
或いは、非隣接チャネルのシーンに対して、異なるメンバーキャリアが異なるサブフレームパターンを採用するように設定してもよい。異なるサブフレームパターンを設定して、設定部署の柔軟性を提供し、同時に、サブフレームパターン時間領域がずれ、ダウンリンク送信を同時に停止しなく、即ち交差中断を避ける。
或いは、異なるシステムの測定のために、システム内部の同じ周波数又は隣接周波数の複数の隣接セルは同じサブフレームパターンを設定することが好ましい。このように、システム内で同時にアップリンクインターセプトに切り替えに便利であり、異なるシステム信号のインターセプトを実現しやすい。
【００９９】
サブフレームパターンを設定するタイミングは以下の通りである。
基地局は、あるライセンスされないキャリアに対してリソース測定感知、即ちインターセプト及び/又はプリエンプションを行う際に、設定されたサブフレーム構造のサブフレームパターンを設定する。つまり、基地局は、該ライセンスされないキャリア測定感知及び/又はプリエンプションを行う際に、サブフレームが所在するアップリンクタイムスロットだけに受信と測定を行い、サブフレーム構造に対応するダウンリンクタイムスロットに測定しなく、つまり、測定感知及び/又はプリエンプション段階で、該ライセンスされないキャリアは基地局によって占用されることを確定しなく、サブフレーム構造に対応するタイムスロット（第１タイムスロット）はダウンリンクデータを送信しなく、且つこのタイムスロットに対応する時間に測定感知及び/又はプリエンプションを行わない。このように、測定感知及び/又はプリエンプションの機会を減少したが、基地局とＵＥとは統一的なサブフレーム構造（即ち統一なタイムスロット構造）を採用し、その処理複雑さが減少する。このため、この時、設定されたサブフレーム構造のサブフレームパターンを設定することは、基地局の行為を統一して、設定を簡単化して、且つこのように、ＵＥの通知に便利である。
【０１００】
或いは、基地局は、あるライセンスされないキャリアが測定感知及び/又はプリエンプションを行う段階に、設定されたサブフレーム構造のサブフレームパターンを一時的に設定しなく、任意の時刻で該ライセンスされないキャリアの測定感知を行うように設定でき、且つリソースプリエンプションを完成して、即ち該ライセンスされないキャリアを基地局によって使用できる際に、該ライセンスされないキャリアには設定されたサブフレーム構造のサブフレームパターンを設定して、且つ設定されたサブフレーム構造に従って信号の送信及び受信を行うように設定されることができる。言い換えると、即ち測定感知及び/又はプリエンプション段階に、より多くの測定感知及び/又はプリエンプション機会を有するために、システムは任意の時刻で測定感知及び/又はプリエンプションを実行することができ、このように、一旦該ライセンスされないキャリアを占用したが、システムは前記のサブフレーム構造及びその設定に従って、後続の測定感知及び/又はプリエンプションを実行し、後続で依然として該ライセンスされないキャリアを使用し続けることができるか否かを確定する。このように、測定感知設定の柔軟性を提供する上、測定感知効率を向上させ、それによりライセンスされないキャリアリソースの感知及びプリエンプションに有利である。
【０１０１】
或いは、どの段階でも、基地局はライセンスされないキャリアを処理する際に、前記サブフレーム構造を予め設定し、システムはずっと設定されたサブフレーム構造に従って信号の送信及び受信を行い、異なる段階に応じて異なる設定を行わない。このように、基地局の行為を統一して、明らかで設定を簡単化して、且つＵＥの通知に便利である。
【０１０２】
或いは、基地局を予め設定してＵＥに通知し、基地局は１つのサブフレームのｉ個のＯＦＤＭ符号には本サブフレーム（即ち以上で言及した第４タイムスロット）が設定されたフレーム構造に設定されるか否かを指示する。選択的に最初のｉ個のＯＦＤＭ符号に設定される。選択的に、サブフレームの１つ目のＯＦＤＭ符号を使用して、本サブフレームが設定されたフレーム構造に設定される指示情報を指示することができる。具体的な実現は、以下を含んでもよく、該サブフレームが出現する可能性がある周期時刻を固定的に設定し、このように、ＵＥはこれらの可能な時刻に対応するこのｉ個のＯＦＤＭ符号はブラインド検出することができ、指示情報を送信したか否かを確定する。固定的に設定した時刻は各サブフレームがいずれも出現する可能性があり、又は各無線フレームが一回出現する等。或いは、ライセンスされたキャリアはＵＥが指示を受信した後の第Ｋのサブフレームに前記サブフレームを出現する可能性があるのを動的に指示し、ＵＥは通知指示に従って、第Ｋのサブフレームに指示情報をブラインド検出し、つまり、この時に前記サブフレームの出現は周期的ではなく、ライセンスされたキャリアの通知指示に基づいて出現し、前記Ｋの値は予め設定された固定値であってもよく、前記ライセンスされたキャリアの通知指示シグナリングにより具体的に指示する。
【０１０３】
ｉ値は１つ又は１つ以上のＯＦＤＭ符号に設定されることができる。好ましくは、１つのＯＦＤＭ符号を占用するように設定し、できるだけリソースオーバヘッドを減少する。勿論、必要に応じてより多くのＯＦＤＭ符号を設定して上記指示情報を伝送することができる。より多くのＯＦＤＭ符号を設定して前記指示情報を伝送し、指示情報を伝送する容量及び/又は性能を向上させ、それにより前記指示情報の伝送をよりよく実現することができる。好ましくは、１つのサブフレームの開始位置から前記第４タイムスロットを設定する。そして、その他のタイムスロットに用いられるＯＦＤＭ符号は対応的にこの部分のＯＦＤＭ符号を占用することができない。好ましくは、制御フィールドのＯＦＤＭ符号を第２タイムスロットとして利用する場合に対して、前記第４タイムスロットは制御フィールドの１つ目のＯＦＤＭ符号に置かれる。制御フィールドを利用するシーンは、使用可能なＯＦＤＭ符号数が限られるため、前記第４タイムスロットのために多すぎるリソースを予約することができない。
【０１０４】
本ステップにおいて、ＵＥに設定されたサブフレームパターンを通知することは、
プライマリキャリアとするライセンスされたキャリアにより、管理した二次キャリアとするライセンスされないキャリアを設定する。一般的に、ライセンスされたキャリアとライセンスされないキャリアをアグリゲーションする際に、ライセンスされたキャリアはプライマリキャリアであり、ライセンスされないキャリアは二次キャリアである。このため、プライマリキャリアにより二次キャリアに対してサブフレームパターン設定を行い、即ち二次キャリアを添加する際に、プライマリキャリアにより設定されたサブフレーム構造のサブフレームパターンを設定して、且つ設定されたサブフレームパターンをＵＥに通知し、例えば、プライマリキャリアはＲＲＣによって設定され、或いは物理層制御シグナリングを採用して通知する。物理層制御シグナリングは高層シグナリングに対して、遅延がより小さく、このため、物理層制御シグナリングを採用して通知する方式はサブフレーム設定が動的変化するシーンに適用し、動的でタイムリに通知することに便利である。
【０１０５】
或いは、二次キャリア自身により設定されたサブフレームパターンをＵＥに通知する。例えば、二次キャリアの伝播チャネルによって通知することができ、サブフレームパターンと同期チャネル等の構造を対応することができ、ＵＥにより同期チャネルをブラインド検出することによって同期チャネルのタイプを取得し、それにより設定されたサブフレーム構造のサブフレームパターンを取得する。
或いは、ライセンスされないキャリア群内でその他のライセンスされないキャリアは設定されたサブフレームパターンをＵＥに通知する。
【０１０６】
本出願において、設定したサブフレーム構造は、ライセンスされたキャリアとライセンスされないキャリアに適用できる。しかし、設定対象はライセンスされないキャリアである際に、ＵＥに設定されたサブフレームパターンを通知するタイミングは、以下の通りである。
サブフレームパターンを設定する際に、同一のライセンスされたキャリアが管理するキャリアは、サブフレームタイプに対して同じサブフレームパターンを統一に設定する。設定パターンを簡単化する一方で、同一のライセンスされたキャリアが管理するライセンスされないキャリアは一般的に同一或いは近接地理位置にあり、統一な同じサブフレームパターンを設定して、互いのアップダウンリンクタイムスロット構造の整列を実現して、それにより隣接周波数又は同じ周波数の干渉を避ける。このため、この時、ライセンスされたキャリアは属するＵＥに一回統一に通知すればよく、新しい二次キャリアを添加する際に、ＵＥは新しく添加したキャリアサブフレーム設定と通知した設定が一致することをデフォルトする。
【０１０７】
或いは、サブフレームパターンを設定する際に、同一のライセンスされたキャリアが管理するキャリアは、そのサブフレームタイプは異なるサブフレームパターンタイプを設定することができる。主に二次キャリアが隣接しない周波数サブバンドに属して、アップダウンリンクタイムスロットの設定が整列しないことによる深刻なアップダウンリンク干渉を引き起こさないシーンに適用する。更に、同一の周波数サブバンド内の複数のキャリアが同じであるように設定され、異なるサブバンド内に属するキャリア集合の間に異なるように設定されることができる。このため、ＵＥに通知する際に、セル集合で統一に設定されることができ、又は周波数サブバンドを単位として、周波数サブバンド内で複数のキャリアが同じであるように設定され、統一に通知するように設定される。
【０１０８】
前記サブフレームパターンを設定する方式は、実際の必要に応じて上記異なるサブフレーム設定パターンに変更することができる。
【０１０９】
本ステップにおいて、基地局が設定されたサブフレーム構造と設定されたサブフレームパターンに従って信号の送受信を行うことは、具体的に、以下のとおりである。
基地局は設定されたサブフレーム構造のその他のダウンリンクサブフレームがダウンリンク送信モードに切り替える際に、ダウンリンク信号の送信を行う。
基地局は設定されたサブフレーム構造がアップリンク受信モードに切り替える際に、受信した信号をインターセプトすることを含む。アップリンクインターセプトは本発明の実施例のサブフレーム構造を設定したキャリアの隣接送受信ノードに対して信号の受信を行うことができる。選択的に、同じシステム及び/又は異なるシステム信号に対してエネルギー測定を行い、同じシステムシグナリングの受信検出を実現することもできる。信号は近所セルからのものであってもよいし、ＵＥからのアップリンク信号であってもよいし、異なるシステムからの信号であってもよい。具体的には、以下のとおりである。
近隣（隣接）セル信号に対して、測定によって近隣セル信号との干渉関係を取得することができ、時間周波数リソースの協調に便利である。干渉だけで、具体的なシグナリング情報を分からないと、明らかにその具体的な設定を分からなく、つまり、直接にシグナリングを検出して解析することができると、シグナリングではより明確に設定情報を取得することができ、この設定情報に基づいて協調することが容易であり、このため、更に、近隣セルが送信したシグナリング情報を認識することができ、エアインタフェースの協調インタラクションを実現するようにする。
ＵＥアップリンク信号に対して、測定によってＵＥがキャリアリソースに対する占用状況、及びＵＥと基地局との間の信号強度関係を取得することができる。更に、ＵＥが送信したシグナリング情報を解析することもでき、シグナリングのインタラクションに便利である。測定して得られた信号強度関係、及び/又はシグナリング情報は、ＵＥをスケジューリングして、アップダウンリンクリソースの占用関係を協調する等に便利である。
【０１１０】
本発明の実施例のサブフレーム構造において、その中の第１タイムスロット、又は第２タイムスロット、又は第３タイムスロットは、信号を送信しないように設定されてもよく、基地局は以下のように選択して設定されることができ、
第２タイムスロット或いは第３タイムスロットはアップリンク信号の受信に用いられアップリンク信号の送信をスケジューリングし、；或いは、アイドルであり、；或いは、測定のみを行うように切り替え、アップリンク信号の信号受信をスケジューリングしない。
【０１１１】
第１タイムスロットがアイドルであり、；或いは、アップリンク信号の受信に切り替えてアップリンク信号の送信をスケジューリングし、又はアップリンク信号の送信をスケジューリングしなく、；或いは、その他の信号の受信と測定のみを行うように切り替え、アップリンク信号送信の信号受信をスケジューリングしない。
例えば、仮に各Ｎ個のサブフレームは、その中の１つのサブフレームが本発明の実施例におけるサブフレーム構造であるように設定されると、好ましくは、１つ目のサブフレームに設定される。基地局は、該第１サブフレームの第２タイムスロット及び/又は第３タイムスロットにダウンリンク信号 (Ｎ≧１)を送信しない。具体的な実現方式は以下の通りである。
【０１１２】
方式１： 本発明の実施例のサブフレーム構造において、第２タイムスロット及び/又は第３タイムスロットのみにダウンリンク信号を送信しないが、その他の処理も行わない。このように、Ｌ時間の長さを連続的に占用する際に、一定の比例のタイムスロットがアイドルである必要がある要求を満たすことができる。
【０１１３】
方式２： 本発明の実施例のサブフレーム構造において、第２タイムスロット及び/又は第３タイムスロットはダウンリンク信号を送信しなく、且つ前記のタイムスロットにアップリンク信号の送信をスケジューリングする。このように、アップリンク信号を送信することを許可するシーンにおいて、できるだけこの部分の周波数リソースを利用する。
【０１１４】
方式３： 第２タイムスロット及び/又は第３タイムスロットはダウンリンク信号を送信しなく、信号受信に切り替えて、測定のみを行ってアップリンク信号をスケジューリングしないように設定し、この部分のタイムスロットリソースを利用して信号測定及び感知に用いられるようにする。
【０１１５】
本発明の実施例の方法は、ステップ１０２を更に含み、ＵＥはサブフレームパターンを設定したサブフレーム構造に基づいて信号の送受信を行う。
【０１１６】
前記サブフレーム構造を有するサブフレームに対応する時刻で、ＵＥは基地局が該サブフレームのダウンリンクタイムスロットのみに信号を送信することを仮定する。
【０１１７】
ＵＥが信号の送受信を行うステップは、以下の内容を含んでもよい。
【０１１８】
ＵＥは受信のみでき、設定されたサブフレームパターンのサブフレーム構造のアップリンクタイムスロットにも情報を送信しないように設定されることができる。基地局はライセンスされないキャリアを占用した際に、ＵＥは設定されたサブフレームパターンのサブフレーム構造に従って基地局信号の受信、及び同時にその他の基地局又はシステムからの信号の受信を行うことができ、ＵＥは、基地局がライセンスされないキャリアを占用しない際に、信号の受信と測定を行うように設定され、このように、基地局がこの占用されないライセンスされないキャリアに対して測定及びキャリアリソース占用を行うことを補助する。
及び/又は、ＵＥは設定されたサブフレームパターンのサブフレーム構造のアップリンクタイムスロットのみにはアップリンク信号の送信を行うことが好ましい。フローの簡単化を実現する。
及び/又は、ＵＥは設定されないサブフレームパターンのサブフレーム構造のアップリンクタイムスロットのその他の時刻にアップリンク信号の送信を行うように設定される。例えば、キャリアリソースをプリエンプションしたがダウンリンク信号を送信しない間に、設定されたサブフレームパターンのサブフレーム構造のアップリンクタイムスロットであるが、ＵＥがアップリンク信号を送信するように設定されることができ、送信した信号はキャリアの占用に用いられることができ、プリエンプションしたキャリアリソースがその他のシステムによって奪われることを防止する。
【０１１９】
本ステップにおいて、ＵＥは信号を送信する方式が具体的にどちらを採用するかは、基地局により設定し、或いはＵＥにより自身で選択することができる。
【０１２０】
本ステップにおけるＵＥは信号を送信する方式において、異なる段階、例えばインターセプト段階、又はリソース占用のデータ送信段階、又はリソースプリエンプション段階に、ＵＥは異なる方式を選択して採用し信号の受信及び送信を行うことができる。例えば、連続的なデータのスケジューリング送信段階に、基地局とＵＥとは同じアップダウンリンクタイムスロット構造のサブフレーム構造に設定されることができ、互いの受信及び送信を整列し、また、インターセプトとリソースプリエンプションをよりよく実現するために、キャリアリソースインターセプト及びリソースプリエンプション段階に、ＵＥと基地局とは同時にインターセプト又はプリエンプションしたサブフレーム構造を設定することができる。
【０１２１】
本発明の実施例の信号の送受信の方法に対して、
基地局は１つのライセンスされないキャリアリソースをプリエンプションした場合に対して、使用する過程において、１つのサブフレームは１つ又は１つ以上のＯＦＤＭ符号を予約し、即ち本発明の実施例のサブフレーム構造に設定される。予約したＯＦＤＭ符号において、基地局はダウンリンク送信をアップリンク受信に切り替え、且つこれらの予約したＯＦＤＭ符号を利用してアップリンク信号のインターセプトを行う。インターセプトによってその他のシステム信号を発見しないと、このライセンスされないキャリアを占用し続け、且つＵＥに現在のサブフレームが使用（ライセンスされたキャリアにより指示する又はプライマリキャリア指示と呼ばれる）し続けることができるか否かを指示し、或いは、前記周期が使用し続けることができるか否かを指示し、
ダウンリンクのあるＯＦＤＭ符号はデータを送信しないと、該方法は、ＵＥに通知するステップを更に含む。ここで、基地局とＵＥとはレートマッチングを行う際に、いずれも該ＯＦＤＭ符号のＲＥが使用できないことを仮定する。その他のＯＦＤＭ符号が所在するＲＥは関連の制約に応じて仮定し、レートマッチングを行う。更に、送信しないＯＦＤＭ符号はダウンリンク参照信号を含むと、ＵＥは測定する際に所在するＯＦＤＭ符号の参照が存在しないと仮定し、測定処理を行う。
【０１２２】
基地局は初期プリエンプション段階にある場合に対して、制御フィールドを利用するＯＦＤＭ符号はアップリンク受信とリソースプリエンプションに設定されるシーンに対して、設定したＯＦＤＭ符号を利用して測定及びプリエンプションを行い、プリエンプションが成功すると、現在のサブフレームにはダウンリンク信号送信及び可能なダウンリンクスケジューリングを行うことができる。
【０１２３】
本発明の実施例のサブフレームの制御フィールド時間を利用してプリエンプションすると、本発明の実施例の方法は、ライセンスされたキャリアのＰＤＣＣＨはＵＥが可能な本発明の実施例のサブフレーム構造であるか否かを指示し、ＵＥは強化された物理ダウンリンク制御チャネル（ｅＰＤＣＣＨ、enhanced Physical Downlink Control Channel）ドメインに可能な占用及びスケジューリングを検出するステップを更に含む。ライセンスされたキャリア又はライセンスされないキャリアにより指示することができる。
【０１２４】
更に、
本発明の実施例におけるサブフレーム構造は、連続的な１つ以上のＬＴＥサブフレームからなる。２つの連続的なＬＴＥサブフレームからなるものを例として、本発明の実施例のサブフレーム構造の（インターセプトウィンドウ＋競争ウィンドウ＋占用ウィンドウ）の総持続時間は２つのサブフレームである。この時、ステップ１００において１種の完全なサブフレーム構造を新しく設計して本発明の実施例のサブフレーム構造を設定する方式を採用する際に、(ｋ＋ｍ＋ｎ)は２つのサブフレーム即ち２８個のＯＦＤＭ符号である。
【０１２５】
或いは、本発明の実施例におけるサブフレーム構造は連続的な半分のＬＴＥサブフレームからなり、即ちＬＴＥサブフレームの１つタイムスロットであり、本発明の実施例のサブフレーム構造の（インターセプトウィンドウ＋競争ウィンドウ＋占用ウィンドウ）の全体持続時間は半分のサブフレームである。この時、ステップ１００において１種の完全なサブフレーム構造を新しく設計して本発明の実施例のサブフレーム構造を設定する方式を採用する際に、(ｋ＋ｍ＋ｎ)は半分のサブフレーム即ち７個のＯＦＤＭ符号である。
【０１２６】
本発明の実施例は、コンピュータプログラムを更に開示し、プログラム命令を含み、該プログラム命令がコンピュータによって実行される際に、コンピュータは上記の任意の信号処理方法を実行させることができる。 
【０１２７】
本発明の実施例は、前記のコンピュータプログラムが載せられたキャリアを更に開示する。
【０１２８】
なお、本発明の実施例のダウンリンクサブフレームに対する設計について、容易にアップリンクサブフレームとして拡張することができる。つまり、ＵＥはキャリアのインターセプト即ち測定感知として、リソースプリエンプション或いは補助プリエンプションを行う際に、同様に、ＵＥ側の信号処理方法は、サブフレーム構造を予め設定し、
該サブフレーム構は第５タイムスロット、第６タイムスロットを少なくとも含み、
第５タイムスロットはアップリンク信号の送信に用いられ、；或いは、アイドルであり、；或いは、ダウンリンク信号の受信に切り替えて且つダウンリンク信号の送信をスケジューリングし、又はダウンリンク信号の送信をスケジューリングしなく、；或いは、その他の信号の受信と測定のみを行うように切り替えダウンリンク信号送信の信号受信をスケジューリングしない、
第６タイムスロットはダウンリンク信号受信に用いられダウンリンク信号の送信をスケジューリングし、；或いは、アイドルであり、；或いは、測定のみを行うように切り替えダウンリンク信号の信号受信をスケジューリングしないステップ、及び
ＵＥは設定されたサブフレーム構造に基づいて信号の送受信を行うステップを含む。
前記サブフレーム構造は無線リソースをプリエンプションするための第７タイムスロットを更に備える。
【０１２９】
第５タイムスロット、又は第６タイムスロット、又は第７タイムスロットはいずれも１つ又は複数のＯＦＤＭ符号からなり、不完全なＯＦＤＭ符号からなってもよい。
【０１３０】
不完全なＯＦＤＭ符号とは、その持続的な時間の長さが１つのＯＦＤＭ符号が持続的な時間の長さよりも小さく、或いはその持続的な時間の長さが複数の完全なＯＦＤＭ符号に１つの非完全な符号を足す全時間の長さであることを指す。
【０１３１】
対応的に、該方法は、基地局が前記サブフレーム構造に基づいて信号の送受信を行うステッ
プを更に含む。
【０１３２】
ＵＥがサブフレーム構造を予め設定することができるのは、同様に該サブフレーム構造はｎ個のＯＦＤＭ符号からなることを仮定し、ｋ個のＯＦＤＭ符号はＵＥダウンリンク信号インターセプトウィンドウに用いられ、ｍ個のＯＦＤＭ符号はリソースプリエンプションウィンドウに用いられ、残った(ｎ−ｋ−ｍ)個のＯＦＤＭ符号ビットリソース占用ウィンドウは、占用信号及び/又はアップリンク参照信号を送信することに用いられる。ｍは０であってもよく、即ちリソースプリエンプションウィンドウがないように設定することができ、ｋ、ｎ及びｍは自然数又は正の小数である。
【０１３３】
或いは、ＬＴＥのＴＤＤのサブフレーム構造を修正して、関連ＴＤＤのサブフレーム構造におけるＤｗＰＴＳにおけるｋＴ個のＯＦＤＭ符号がダウンリンク信号（ダウンリンク信号インターセプトウィンドウとも呼ばれる）をインターセプトすることに用いられ、ＵｐＰＴＳにおけるｎＴ個のＯＦＤＭ符号を占用信号及び/又はアップリンク参照信号（リソース占用ウィンドウとも呼ばれる）を送信することに用いられる。更に、関連ＴＤＤのサブフレーム構造におけるタイムスロット（ＧＰ）におけるｍＴ個のＯＦＤＭ符号をリソースプリエンプション（リソースプリエンプションウィンドウとも呼ばれる）に用いられ、つまり、ｍＴの取る値が０であってもよく、即ちリソースプリエンプションウィンドウがないように設定されることができ、ｋＴ、ｎＴ及びｍＴはいずれも自然数又は正の小数である。
【０１３４】
或いは、関連のＬＴＥアップリンクサブフレームにおいて、最後の１つのＯＦＤＭ符号はアップリンクＳＲＳを送信することに用いられる。本発明の実施例のＵＥはそれを修正することができ、ＵＥはインターセプトによって前記キャリアが占用されることができることを発見する際に、サブフレームの最後の１つのＯＦＤＭ符号には占用指示信号を送信して、基地局に前記キャリアが占用できることを通知するようにする。基地局は前記ＯＦＤＭ符号が送信した占用信号を検出することによって、ＵＥが指示した占用できる情報を取得する。
【０１３５】
同様に、ＵＥ側に、本発明の実施例のサブフレーム構造は同時にアップダウンリンク切り替え遅延を考えた。
【０１３６】
上記の各実施例において、本発明の実施例のサブフレーム構造に設定されないその他のサブフレームは、ダウンリンクサブフレームに設定されてもよいし、アップリンクサブフレームに設定されてもよい。
【０１３７】
選択的に、これらのアップリンクサブフレームは、本発明の実施例のサブフレーム構造を有するサブフレームの前に設定され、ダウンリンクサブフレームは、本発明の実施例のサブフレーム構造を有するサブフレームの後に設定される。このように、できるだけアップダウンリンクタイムスロットが切り替えるリソースオーバヘッドを減少する。
【０１３８】
本発明の実施例は、コンピュータプログラムを更に開示し、プログラム命令を含み、該プログラム命令がコンピュータによって実行される際に、コンピュータは上記任意の信号処理方法を実行させることができる。 
【０１３９】
本発明の実施例は、前記のコンピュータプログラムが載せられたキャリアを更に開示する。
【０１４０】
本発明の実施例による信号処理方法に基づいて、本発明の実施例は、基地局を更に提供し、サブフレーム構造を予め設定することに用いられ、該サブフレーム構造は第１タイムスロット、第２タイムスロットを少なくとも含む。
第１タイムスロットはダウンリンク信号の送信に用いられ、；或いは、アイドルであり、；或いは、アップリンク信号の受信に切り替えてアップリンク信号の送信をスケジューリングし、又はアップリンク信号の送信をスケジューリングしなく、；或いは、その他の信号の受信と測定のみを行うように切り替えアップリンク信号送信の信号受信をスケジューリングしない、
第２タイムスロットはアップリンク信号の受信に用いられアップリンク信号の送信をスケジューリングし、；或いは、アイドルであり、；或いは、測定のみを行うように切り替えアップリンク信号の信号受信をスケジューリングしないステップ、及び
基地局は設定されたサブフレーム構造に基づき信号の送受信を行うステップを含む。
前記サブフレーム構造は、無線リソースをプリエンプションするための第３タイムスロットを更に備える。
【０１４１】
前記第１タイムスロット、又は第２タイムスロット、又は第３タイムスロットはいずれも１つ又は複数のＯＦＤＭ符号からなり、不完全なＯＦＤＭ符号からなってもよい。
【０１４２】
不完全なＯＦＤＭ符号とは、その持続的な時間の長さが１つのＯＦＤＭ符号が持続的な時間の長さよりも小さく、或いはその持続的な時間の長さが複数の完全なＯＦＤＭ符号に１つの非完全な符号を足す全時間の長さであることを指す。
【０１４３】
基地局側のタイムスロットの設定は、上記基地局側の信号処理方法を参照して、ここで説明しない。
【０１４４】
本発明の実施例は、端末を更に提供し、サブフレーム構造を予め設定することに用いられ、該サブフレーム構は、第５タイムスロット、第６タイムスロットを少なくとも含む。
第５タイムスロットはアップリンク信号の送信に用いられ、；或いは、アイドルであり、；或いは、ダウンリンク信号の受信に切り替えて且つダウンリンク信号の送信をスケジューリングし、又はダウンリンク信号の送信をスケジューリングしなく、；或いは、その他の信号の受信と測定のみを行うように切り替えダウンリンク信号送信の信号受信をスケジューリングしない、
第６タイムスロットはダウンリンク信号の受信に用いられダウンリンク信号の送信をスケジューリングし、；或いは、アイドルであり、；或いは、測定のみを行うように切り替えダウンリンク信号の信号受信をスケジューリングしないステップ、及び
設定されたサブフレーム構造に従って信号の送受信を行うステップを含む。
【０１４５】
前記サブフレーム構造は第７タイムスロットを更に備え、無線リソースのプリエンプションに用いられる。
【０１４６】
前記第５タイムスロット、又は第６タイムスロット、又は第７タイムスロットはいずれも１つ又は複数のＯＦＤＭ符号からなり、不完全なＯＦＤＭ符号からなってもよい。
【０１４７】
不完全なＯＦＤＭ符号とは、その持続的な時間の長さが１つのＯＦＤＭ符号が持続的な時間の長さよりも小さく、或いはその持続的な時間の長さが複数の完全なＯＦＤＭ符号に１つの非完全な符号を足す全時間の長さであることを指す。
【０１４８】
ＵＥ側のこれらのタイムスロットの設定は、上記基地局側の信号処理方法を参照して、ここで説明しない。
【０１４９】
以上は、、本発明の好ましい実例であるだけに過ぎず、本発明の保護範囲を限定するものではない。本発明の趣旨及び原則を逸脱しない限り、行ったいずれの変更、等価的な置換、改善等は、いずれも本発明の保護範囲に含まれるべきものである。
【産業上の利用可能性】
【０１５０】
本発明の技術的解決手段の方法によれば、ライセンスされないキャリアスペクトルの使用の公平性を向上させ、それにより効果的にライセンスされないキャリアスペクトルを利用する。このため、本発明は、強い産業上の利用可能性を有する。
【図１】
0006454408.tif 000002